(57)【要約】【課題】スライドショー表示制御の実行中に、その表示に係る画像に関して種々の処理を簡便に選択乃至実行し得る画像表示装置を提供する。【解決手段】タッチパネル２４により入力された入力情報を解析する入力情報解析手段５２と、その入力情報解析手段５２により解析された入力情報が画像６４を加工するための加工情報であるか、或いは所定の制御コマンドであるかを判定する入力情報判定手段５４と、処理の対象となる画像６４を選択する処理対象画像選択手段５６と、入力情報判定手段５４により入力情報が所定の制御コマンドであると判定された場合には、処理対象画像選択手段５６により選択された画像６４に対して所定の処理を実行する処理実行手段５８とを、備えたものであることから、スライドショー表示制御の実行中に前記タッチパネル２４による入力操作が行われた場合等において、その入力操作に対応する処理を適宜実行することができる。【選択図】図３
2011070448.tif 000002
【特許請求の範囲】
【請求項１】
ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置であって、
前記タッチパネルにおける複数の座標を連続的に辿る筆記操作に応じて入力された入力情報を解析する入力情報解析手段と、
該入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段と、
前記タッチパネルに対する接触操作に応じて、前記所定のアプリケーションによる処理の対象となる画像を選択する処理対象画像選択手段と、
前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段と
を、備えたものであることを特徴とする画像表示装置。
【請求項２】
前記入力情報解析手段により解析可能な記号と該記号に対応する前記所定のアプリケーションによる処理とを関連付けて記憶するデータベースを備え、
前記入力情報判定手段は、前記入力情報解析手段により解析された入力情報に相当する記号が前記データベースに記憶されているか否かを判定し、該判定により肯定される場合には前記入力情報が該記号に関連付けられて記憶されたアプリケーションによる処理を実行するための制御コマンドであると判定するものである
請求項１に記載された画像表示装置。
【請求項３】
前記入力情報判定手段は、前記入力情報解析手段により解析された入力情報に相当する記号が前記データベースに記憶されているか否かを判定し、該判定が否定される場合には前記入力情報が前記接触操作の時点において前記ディスプレイに表示されている画像に所定の加工を行うための加工情報であると判定するものである
請求項２に記載された画像表示装置。
【請求項４】
前記スライドショー表示制御手段は、前記入力情報判定手段により前記入力情報が前記接触操作の時点において前記ディスプレイに表示されている画像に所定の加工を行うための加工情報であると判定された場合には、該画像の表示時間を前記所定の時間より延長するものである
請求項１から３の何れか１項に記載の画像表示装置。
【請求項５】
前記スライドショー表示制御手段は、前記画像の切替表示に際して前記ディスプレイによる表示に所定のエフェクトを実行するものであり、
前記入力情報判定手段は、前記入力情報解析手段により解析された入力情報に相当する記号が前記データベースに記憶されているか否かを判定し、該判定が肯定される場合には、前記エフェクトの実行中に入力された入力情報は前記所定のアプリケーションによる処理を実行するための制御コマンドであると判定するものである
請求項２から４の何れか１項に記載の画像表示装置。
【請求項６】
前記データベースは、前記入力情報解析手段により解析可能な記号と該記号に対応する複数のアプリケーションによる処理とを関連付けて記憶し得るものであり、
前記入力情報判定手段は、前記入力情報解析手段により解析された入力情報に相当する記号が複数のアプリケーションと関連付けられて前記データベースに記憶されていると判定される場合には、それら複数のアプリケーションによる処理を前記処理対象画像選択手段による選択可能に前記ディスプレイに表示させるものである
請求項２から５の何れか１項に記載の画像表示装置。
【請求項７】
ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置における画像表示方法であって、
前記タッチパネルにおける複数の座標を連続的に辿る筆記操作に応じて入力された入力情報を解析する入力情報解析過程と、
該入力情報解析過程において解析された入力情報が、前記スライドショー表示制御手段による制御対象である画像に所定の加工を行うための加工情報であるか、或いは所定のアプリケーションによる処理を実行するための制御コマンドであるかを判定する入力情報判定過程と、
前記タッチパネルに対する接触操作に応じて、前記所定のアプリケーションによる処理の対象となる画像を選択する処理対象画像選択過程と、
前記入力情報判定過程において前記入力情報が所定のアプリケーションによる処理を実行するための制御コマンドであると判定された場合には、前記処理対象画像選択過程において選択された画像に対して前記所定のアプリケーションによる処理を実行する処理実行過程と
を、含むことを特徴とする画像表示方法。
【請求項８】
ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置に備えられた制御装置を、
前記タッチパネルにおける複数の座標を連続的に辿る筆記操作に応じて入力された入力情報を解析する入力情報解析手段、
該入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段、
前記タッチパネルに対する接触操作に応じて、前記所定のアプリケーションによる処理の対象となる画像を選択する処理対象画像選択手段、
及び、前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段
として機能させることを特徴とする画像表示プログラム。
【発明の詳細な説明】
【技術分野】
【０００１】
本発明は、複数の画像を所定の時間間隔で断続的に切替表示させるスライドショー表示制御を実行し得る画像表示装置、画像表示方法、及び画像表示プログラムに関し、特に、そのスライドショー表示制御の実行中において利用者の所望する処理を簡便に実行するための改良に関する。
【背景技術】
【０００２】
所定の記憶媒体に記憶された画像を読み出し、その画像をディスプレイに表示させる所謂デジタルフォトフレームが広く一般に用いられている。また、斯かるデジタルフォトフレームの一態様として、ディスプレイに画像を表示させると共にタッチパネルに対する接触操作に応じて入力を受け付けるタッチパネルディスプレイを備えた画像表示装置が知られている。そのようにタッチパネルディスプレイを備えたデジタルフォトフレームでは、タッチパネルによる入力操作（接触入力）により、ディスプレイに表示される画像に関して種々の処理を選択乃至実行することができる。
【０００３】
ところで、上述のようなデジタルフォトフレーム或いは一般的な画像表示装置において、複数の画像を所定の時間間隔で断続的に切替表示させるスライドショー表示制御を実行し得るものが知られている。更に、斯かるスライドショー表示制御の実行中において、その時点において表示されている画像を選択し、その画像に関して所定のアプリケーションによる処理を実行する技術が提案されている。例えば、特許文献１に記載されたデジタルカメラがそれである。
【先行技術文献】
【特許文献】
【０００４】
【特許文献１】特開２００５−１８４１０９号公報
【発明の概要】
【発明が解決しようとする課題】
【０００５】
しかし、前記従来の技術は、スライドショー表示制御の実行中において所定のアプリケーションによる処理を実行する対象となる画像を選択するものに過ぎず、特にその利便性を向上させるものではなかった。一方、タッチパネルディスプレイを備えた画像表示装置によるスライドショー表示制御の実行中に、その時点において表示されている画像を所定の処理対象として選択することは、タッチパネルによる入力操作により容易に可能であるが、従来の技術ではスライドショー表示制御を一旦停止し、その処理に係るアプリケーションを立ち上げる操作を別途行う必要があった。ゆえに、スライドショー表示制御を楽しみつつ目に留まった画像を簡便に所定の送信先へ送信したり、その画像に加工を行ったりといった制御を随意に実現することは困難であった。このため、スライドショー表示制御の実行中に、その表示に係る画像に関して種々の処理を簡便に選択乃至実行し得る技術の開発が求められていた。
【０００６】
本発明は、以上の事情を背景として為されたものであり、その目的とするところは、スライドショー表示制御の実行中に、その表示に係る画像に関して種々の処理を簡便に選択乃至実行し得る画像表示装置、画像表示方法、及び画像表示プログラムを提供することにある。
【課題を解決するための手段】
【０００７】
斯かる目的を達成するために、本第１発明の要旨とするところは、ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置であって、前記タッチパネルにおける複数の座標を連続的に辿る筆記操作に応じて入力された入力情報を解析する入力情報解析手段と、その入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段と、前記タッチパネルに対する接触操作に応じて、前記所定のアプリケーションによる処理の対象となる画像を選択する処理対象画像選択手段と、前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段とを、備えたことを特徴とするものである。
【０００８】
また、前記目的を達成するために、本第２発明の要旨とするところは、ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置における画像表示方法であって、前記タッチパネルにおける複数の座標を連続的に辿る筆記操作に応じて入力された入力情報を解析する入力情報解析過程と、その入力情報解析過程において解析された入力情報が、前記スライドショー表示制御手段による制御対象である画像に所定の加工を行うための加工情報であるか、或いは所定のアプリケーションによる処理を実行するための制御コマンドであるかを判定する入力情報判定過程と、前記タッチパネルに対する接触操作に応じて、前記所定のアプリケーションによる処理の対象となる画像を選択する処理対象画像選択過程と、前記入力情報判定過程において前記入力情報が所定のアプリケーションによる処理を実行するための制御コマンドであると判定された場合には、前記処理対象画像選択過程において選択された画像に対して前記所定のアプリケーションによる処理を実行する処理実行過程とを、含むことを特徴とするものである。
【０００９】
また、前記目的を達成するために、本第３発明の要旨とするところは、ディスプレイに画像を表示させると共にタッチパネルに対する接触操作に応じて入力を受け付けるタッチパネルディスプレイと、複数の画像を所定の時間間隔で前記ディスプレイに断続的に切替表示させるスライドショー表示制御を実行するスライドショー表示制御手段とを、備えた画像表示装置に備えられた制御装置を、前記タッチパネルにおける複数の座標を連続的に辿る筆記操作に応じて入力された入力情報を解析する入力情報解析手段、その入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段、前記タッチパネルに対する接触操作に応じて、前記所定のアプリケーションによる処理の対象となる画像を選択する処理対象画像選択手段、及び、前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段として機能させることを特徴とする画像表示プログラムである。
【発明の効果】
【００１０】
このように、前記第１発明によれば、前記タッチパネルにおける複数の座標を連続的に辿る筆記操作に応じて入力された入力情報を解析する入力情報解析手段と、その入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段と、前記タッチパネルに対する接触操作に応じて、前記所定のアプリケーションによる処理の対象となる画像を選択する処理対象画像選択手段と、前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段とを、備えたものであることから、スライドショー表示制御の実行中に前記タッチパネルによる入力操作が行われた場合等において、その入力操作が何を意図してのものであるか適宜判断し、その入力操作に対応する処理を実行することができる。すなわち、スライドショー表示制御の実行中に、その表示に係る画像に関して種々の処理を簡便に選択乃至実行し得る画像表示装置を提供することができる。
【００１１】
ここで、前記第１発明において、好適には、前記入力情報解析手段により解析可能な記号とその記号に対応する前記所定のアプリケーションによる処理とを関連付けて記憶するデータベースを備え、前記入力情報判定手段は、前記入力情報解析手段により解析された入力情報に相当する記号が前記データベースに記憶されているか否かを判定し、その判定により肯定される場合には前記入力情報がその記号に関連付けられて記憶されたアプリケーションによる処理を実行するための制御コマンドであると判定するものである。このようにすれば、スライドショー表示制御の実行中における所定のアプリケーションによる処理を実行するための入力操作を、実用的な態様で好適に判定することができる。
【００１２】
また、好適には、前記入力情報判定手段は、前記入力情報解析手段により解析された入力情報に相当する記号が前記データベースに記憶されているか否かを判定し、その判定が否定される場合には前記入力情報が前記接触操作の時点において前記ディスプレイに表示されている画像に所定の加工を行うための加工情報であると判定するものである。このようにすれば、スライドショー表示制御の実行中において前記ディスプレイに表示されている画像に所定の加工を行うための入力操作を、実用的な態様で好適に判定することができる。
【００１３】
また、好適には、前記スライドショー表示制御手段は、前記入力情報判定手段により前記入力情報が前記接触操作の時点において前記ディスプレイに表示されている画像に所定の加工を行うための加工情報であると判定された場合には、その画像の表示時間を前記所定の時間より延長するものである。このようにすれば、スライドショー表示制御の実行中において前記ディスプレイに表示されている画像に所定の加工を行うための入力操作が判定された場合に、その画像を加工するための時間を確保することができる。
【００１４】
また、好適には、前記スライドショー表示制御手段は、前記画像の切替表示に際して前記ディスプレイによる表示に所定のエフェクトを実行するものであり、前記入力情報判定手段は、前記入力情報解析手段により解析された入力情報に相当する記号が前記データベースに記憶されているか否かを判定し、その判定が肯定される場合には、前記エフェクトの実行中に入力された入力情報は前記所定のアプリケーションによる処理を実行するための制御コマンドであると判定するものである。このようにすれば、スライドショー表示制御の実行中における所定のアプリケーションによる処理を実行するための入力操作を、実用的な態様で好適に判定することができる。
【００１５】
また、好適には、前記データベースは、前記入力情報解析手段により解析可能な記号とその記号に対応する複数のアプリケーションによる処理とを関連付けて記憶し得るものであり、前記入力情報判定手段は、前記入力情報解析手段により解析された入力情報に相当する記号が複数のアプリケーションと関連付けられて前記データベースに記憶されていると判定される場合には、それら複数のアプリケーションによる処理を前記処理対象画像選択手段による選択可能に前記ディスプレイに表示させるものである。このようにすれば、所定の入力操作に対応して複数の処理が関連付けられている場合に、スライドショー表示制御の実行中における所定のアプリケーションによる処理を実行するための入力操作を、実用的な態様で判定乃至選択することができる。
【００１６】
また、前記第２発明によれば、前記タッチパネルにおける複数の座標を連続的に辿る筆記操作に応じて入力された入力情報を解析する入力情報解析過程と、その入力情報解析過程において解析された入力情報が、前記スライドショー表示制御手段による制御対象である画像に所定の加工を行うための加工情報であるか、或いは所定のアプリケーションによる処理を実行するための制御コマンドであるかを判定する入力情報判定過程と、前記タッチパネルに対する接触操作に応じて、前記所定のアプリケーションによる処理の対象となる画像を選択する処理対象画像選択過程と、前記入力情報判定過程において前記入力情報が所定のアプリケーションによる処理を実行するための制御コマンドであると判定された場合には、前記処理対象画像選択過程において選択された画像に対して前記所定のアプリケーションによる処理を実行する処理実行過程とを、含むことを特徴とするものであることから、スライドショー表示制御の実行中に前記タッチパネルによる入力操作が行われた場合等において、その入力操作が何を意図してのものであるか適宜判断し、その入力操作に対応する処理を実行することができる。すなわち、スライドショー表示制御の実行中に、その表示に係る画像に関して種々の処理を簡便に選択乃至実行し得る画像表示方法を提供することができる。
【００１７】
また、前記第３発明によれば、前記画像表示装置に備えられた制御装置を、前記タッチパネルにおける複数の座標を連続的に辿る筆記操作に応じて入力された入力情報を解析する入力情報解析手段、その入力情報解析手段により解析された入力情報が、前記スライドショー表示制御手段による制御対象である画像に所定の加工を行うための加工情報であるか、或いは所定のアプリケーションによる処理を実行するための制御コマンドであるかを判定する入力情報判定手段、前記タッチパネルに対する接触操作に応じて、前記所定のアプリケーションによる処理の対象となる画像を選択する処理対象画像選択手段、及び、前記入力情報判定手段により前記入力情報が所定のアプリケーションによる処理を実行するための制御コマンドであると判定された場合には、前記処理対象画像選択手段により選択された画像に対して前記所定のアプリケーションによる処理を実行する処理実行手段として機能させることを特徴とする画像表示プログラムであることから、スライドショー表示制御の実行中に前記タッチパネルによる入力操作が行われた場合等において、その入力操作が何を意図してのものであるか適宜判断し、その入力操作に対応する処理を実行することができる。すなわち、スライドショー表示制御の実行中に、その表示に係る画像に関して種々の処理を簡便に選択乃至実行し得る画像表示プログラムを提供することができる。
【図面の簡単な説明】
【００１８】
【図１】本発明の一実施例である画像表示装置の外観を大まかに示す図である。
【図２】本発明の一実施例である画像表示装置の構成及びその画像表示装置に係る通信システムを説明するブロック線図である。
【図３】図２の画像表示装置における制御部に備えられた制御機能の要部を説明する機能ブロック線図である。
【図４】図２の画像表示装置における記憶部に備えられたアドレスデータベースの内容を例示する図である。
【図５】図２の画像表示装置における記憶部に備えられたコマンドデータベースの内容を例示する図である。
【図６】図２の画像表示装置における記憶部乃至ＲＡＭに形成される送信リストの内容を例示する図である。
【図７】図２の画像表示装置における記憶部乃至ＲＡＭに形成される送信履歴の内容を例示する図である。
【図８】図２の画像表示装置によるスライドショー表示制御において、表示装置に複数の画像が断続的に切替表示される様子を説明する図である。
【図９】図８に示すスライドショー表示制御に際して、タッチパネルにより入力される入力情報に応じて種々の処理が実行される様子を説明する図である。
【図１０】図９に示す処理の結果として、各通信対象へ送信される画像情報に相当する画像を示す図である。
【図１１】図２の画像表示装置において所定のアプリケーションによる処理を行うための制御コマンドに対応する入力情報と、所定の画像に加工を行うための加工情報に対応する入力情報とを個別に保存する処理について説明する図である。
【図１２】図２の画像表示装置における記憶部乃至ＲＡＭに形成される制御候補リストの内容を例示する図である。
【図１３】図２の画像表示装置における制御部によるスライドショー表示制御、画像送信制御、及び画像加工制御の要部を説明するフローチャートである。
【図１４】図１３に示す制御における決定コマンド操作の要部を説明するフローチャートである。
【図１５】図１４に示す決定コマンド操作における送信処理の要部を説明するフローチャートである。
【図１６】図１３に示す制御における送信登録処理の要部を説明するフローチャートである。
【図１７】図１３に示す制御における画像加工処理の要部を説明するフローチャートである。
【図１８】図１３に示す制御におけるページ切替処理の要部を説明するフローチャートである。
【図１９】図２の画像表示装置における制御部による制御の他の一例として、送信対象になっている全ての画像が制御コマンドであるか或いは加工情報であるかを判定した後に送信する制御を説明する図である。
【図２０】図２３に示す送信管理リストに対応して送信される画像情報に相当する画像を示す図である。
【図２１】図２の画像表示装置における記憶部乃至ＲＡＭに形成される送信リストの内容を例示する図である。
【図２２】図２１の送信リストにおける送信管理リストの内容を例示する図である。
【図２３】図２２に示す送信管理リストに登録された全ての画像ＩＤに関して制御候補情報が「済」となった状態を示している。
【図２４】図２の画像表示装置における記憶部に記憶されたスライドショー管理リストの内容を例示する図である。
【図２５】図１９の制御に対応する図１３の制御におけるページ切替処理の要部を説明するフローチャートである。
【図２６】図１９の制御に対応する図１３の制御における決定コマンド操作の要部を説明するフローチャートである。
【図２７】図２６に示す決定コマンド操作における送信処理の要部を説明するフローチャートである。
【発明を実施するための形態】
【００１９】
以下、本発明の好適な実施例を図面に基づいて詳細に説明する。
【実施例】
【００２０】
図１は、本発明の一実施例である画像表示装置１０の外観を大まかに示す図である。また、図２は、斯かる画像表示装置１０の構成及びその画像表示装置１０に係る通信システム８を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、上記画像表示装置１０による画像表示制御をはじめとする各種制御を実行する制御部１４と、複数の画像情報（画像ファイル）を記憶するフラッシュメモリ等の記憶部１６と、上記画像表示装置１０を上記通信システム８に接続するための通信インターフェイス１８とを、備えて構成されている。
【００２１】
図２に示すように、上記タッチパネルディスプレイ１２は、そのタッチパネルディスプレイ１２に所定の映像を表示させるディスプレイとしての表示装置２２と、利用者の指や備え付けのペン２０等による上記タッチパネルディスプレイ１２への接触により入力を行うタッチパネル２４とを、備えて構成されている。また、上記画像表示装置１２には、上記表示装置２２による画像（映像）の表示制御を行う表示制御部２６と、上記タッチパネル２４により入力される入力情報を処理する入力制御部２８とが備えられており、それら表示制御部２６及び入力制御部２８により上記表示装置２２及びタッチパネル２４を介して上記タッチパネルディスプレイ１２による画像表示制御乃至情報入力制御が実行される。
【００２２】
また、図２に示すように、前記制御部１４は、中央演算処理装置であるＣＰＵ３０と、読出専用メモリであるＲＯＭ３２と、随時書込読出メモリであるＲＡＭ３４とを、備えて構成されている。すなわち、前記制御部１４は、上記ＲＡＭ３４の一時記憶機能を利用しつつ上記ＲＯＭ３２に記憶された情報に基づいて上記ＣＰＵ３０により種々の情報処理を実行する所謂マイクロコンピュータであり、上記表示制御部２６を介して前記タッチパネルディスプレイ１２（表示装置２２）に所定の画像を表示させる画像表示制御、そのタッチパネルディスプレイ１２（タッチパネル２４）への接触操作に応じて上記入力制御部２８を介して入力される入力信号を処理する入力処理制御、及び前記通信インターフェイス１８を介して他の機器との間で情報の通信を行う情報通信制御等、本実施例の画像表示装置１０に関する各種制御を実行する。
【００２３】
前記記憶部１６には、前記表示制御部２６を介して前記タッチパネルディスプレイ１２（表示装置２２）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置２２は、静止画像のみならず動画を表示させるものであってもよく、前記記憶部１６に記憶される画像情報は、静止画に対応するものであると動画に対応するものであるとを問わない。また、前記記憶部１６には、後述するアドレスデータベース（アドレス帳）４２（図４を参照）及びコマンドデータベース４４（図５を参照）をはじめとする各種データベースが設けられている。
【００２４】
前記通信インターフェイス１８は、例えば前記画像表示装置１０を無線により或いは有線接続にてＬＡＮ３６に接続するＬＡＮインターフェイスである。前記画像表示装置１０は、この通信インターフェイス１８によりＬＡＮ３６に接続されることで、そのＬＡＮ３６を介して例えばプリンタ３８等との間で情報の通信が可能とされる。また、図２に示すように、上記ＬＡＮ３６は図示しないルータ等を介して公衆電話回線、ＡＤＳＬ回線、或いは光ファイバ回線等から構成されるＷＷＷ（World Wide Web）すなわちインターネット４０に接続可能とされており、前記画像表示装置１０は、上記ＬＡＮ３６及びインターネット４０を介してそのインターネット４０に接続された他の機器例えば他の前記画像表示装置１０′との間で情報の送受信が可能とされる。すなわち、本実施例の画像表示装置１０は、自機とは異なる他の画像表示装置１０′（図２乃至図３に示す構成を備えた本実施例の画像表示装置１０である別の機体）との間で相互に情報の通信を行い得るように構成されたものである。
【００２５】
図３は、前記制御部１４に備えられた制御機能の要部を説明する機能ブロック線図である。この図３に示すスライドショー表示制御手段５０は、複数の画像を所定の時間間隔で前記タッチパネルディスプレイ１２（表示装置２２）に断続的に切替表示させるスライドショー表示制御を実行する。図８は、このスライドショー表示制御手段５０によるスライドショー表示制御において、前記表示装置２２に複数の画像が断続的に切替表示される様子を説明する図である。この図８に示すように、上記スライドショー表示制御手段５０は、前記タッチパネル２４等を介して所定のスライドショー表示制御開始操作が行われた場合、前記記憶部１６に記憶された複数の画像情報を図２４に示すスライドショー管理リスト７８に記憶された情報に従って所定の順番で読み出し、各画像情報に対応する画像を前記表示装置２２に所定時間表示させると共に、その所定時間が経過した段階で次の表示順の画像情報に対応する画像を前記表示装置２２に所定時間表示させるというように、予め定められた複数の画像を所定の順番で前記表示装置２２に１枚ずつ表示させる。また、好適には、各スライドショー表示制御に関して複数の画像が一通り表示され終えた場合には、そのスライドショー表示制御に係る複数の画像をまた先頭から断続的に切替表示させるスライドショー表示制御を繰り返す。
【００２６】
例えば、図８に示す例では、先ず、時点ｔ０からｔ１までの間、駅から電車が発進する風景を撮影した画像６４ａ（ｐ１）が前記表示装置２２に表示される。次に、時点ｔ１に達した段階で画像の切替制御が開始され、時点ｔ２からｔ３までの間、一戸建ての家を撮影した画像６４ｂ（ｐ２）が前記表示装置２２に表示される。次に、時点ｔ３に達した段階で画像の切替制御が開始され、時点ｔ４からｔ５までの間、高層ビルを撮影した画像６４ｃ（ｐ３）が前記表示装置２２に表示される。次に、時点ｔ５に達した段階で画像の切替制御が開始され、時点ｔ６からｔ７までの間、木々が茂る林の風景を撮影した画像６４ｄ（ｐ４）が前記表示装置２２に表示される。このように、本実施例のスライドショー表示制御では、複数の画像が予め定められた順番に所定の時間間隔で前記タッチパネルディスプレイ１２（表示装置２２）に断続的に切替表示される。なお、図８に示す例における各画像の表示時間すなわち上記画像６４ａの表示時間である時点ｔ０からｔ１の時間間隔、上記画像６４ｂの表示時間である時点ｔ２からｔ３の時間間隔、上記画像６４ｃの表示時間である時点ｔ４からｔ５の時間間隔、及び上記画像６４ｄの表示時間である時点ｔ６からｔ７の時間間隔は、好適には、初期設定において何れも等しい時間間隔である。すなわち、前記複数の画像６４ａ〜６４ｄ（以下、特に区別しない場合には単に画像６４という）は等時間隔で前記表示装置２２に切替表示されるものであるが、後述するように所定の画像６４の表示中に前記タッチパネル２４により所定の操作が行われる等した場合、その表示時間が変更（延長）され得るものである。
【００２７】
前記スライドショー表示制御手段５０は、好適には、前記スライドショー表示制御に係る画像の切替表示に際して、前記タッチパネルディスプレイ１２（表示装置２２）による表示に所定のエフェクトを実行する。例えば、図８に示す例において、前記表示装置２２の表示が上記画像６４ａから画像６４ｂに切り替えられる時点ｔ１からｔ２までの間、例えば上記画像６４ａが次第に薄れて（フェイドアウトして）ゆき、その画像ａが完全に消失した時点から上記画像６４ｂが次第に鮮明となって（フェイドインして）ゆくといったように、前記スライドショー表示制御の切替表示において表示画像から次の画像への切り替えに所定の幕間時間をかけると共に、その幕間時間に予め定められた所定の視覚的な効果をもって前記画像の切替表示を行う。なお、このエフェクトとしては、例えば消える側の画像が複数のピースに分解されて各ピースが消失していった後、ピースがひとつひとつ集まって組み合わされるように次の画像が現れるといったものや、消える側の画像が渦巻きの中に吸いこまれてゆくように消失していった後、渦巻きから浮上するように次の画像が現れるといったものが考えられ、その他、設計に応じて種々の視覚的効果が適用され得る。
【００２８】
図３に戻って、入力情報解析手段５２は、前記タッチパネル２４に対する接触操作に応じて入力された入力情報を解析する。すなわち、前記タッチパネル２４の入力平面（表示装置２２の表示平面）上における複数の座標を連続的に辿る筆記操作、換言すれば利用者の指や備え付けのペン２０等により前記タッチパネル２４の表面をなぞる操作に応じて入力された入力情報を、予め定められた所定の関係に基づいて解析する。この入力情報の解析のために、（ａ）平仮名、片仮名、アルファベット、数字、及び漢字等の文字、（ｂ）クエスチョンマーク、エクスクラメーションマーク、星マーク、及びハートマーク等のマーク、（ｃ）○印、△印、及び×印等の印といった各種記号の入力を解析するための情報として、例えば前記ペン２０等により前記タッチパネル２４をなぞって入力された入力情報に係る筆跡と、その筆跡に相当する記号（直線、曲線、連結部等の組み合わせによってその記号と推定されるもの）との対応関係が前記記憶部１６に記憶されている。上記入力情報解析手段５２は、利用者の指や備え付けのペン２０等により前記タッチパネル２４への接触操作（入力操作）が行われ、その入力情報が前記入力制御部２８により受け付けられた場合、前記記憶部１６に記憶された上記対応関係から、前記入力制御部２８を介して受け付けられた入力情報に基づいて、その入力情報に対応する文字、マーク、印等の記号を解析する。
【００２９】
図４は、前記記憶部１６に備えられたアドレスデータベース４２の内容を例示する図である。この図４に示すように、前記アドレスデータベース４２には、前記画像表示装置１０による前記通信システム８を介しての通信対象毎にその名前、名前の読み（ふりがな）、愛称（ニックネーム）、送信先１、送信先１に対応するアプリケーション、送信先２、及び送信先２に対応するアプリケーション等の情報が、各通信対象の識別情報であるＩＤをインデックスとして記憶されている。ここで、上記名前、名前の読み、及び愛称等は、平仮名、片仮名、アルファベット、数字、及び漢字等の文字から成るものであり、前記入力情報解析手段５４により解析可能な記号に相当する。また、上記送信先１は、例えば前記通信システム８を介して送受信可能な電子メールのメールアドレスであり、その送信先１に対応するアプリケーションは、電子メールを送受信するためのメーラすなわちメールサーバに届いた自機宛ての電子メールを読み出したり、所定の通信対象宛てのメールをメールサーバへ送り届ける等の機能を有する電子メールソフト（電子メール送信アプリケーション）である。また、上記送信先２は、例えばファクシミリ装置に送信を行うためのＦＡＸ番号であり、その送信先２に対応するアプリケーションは、所定のＦＡＸ番号に対応するファクシミリ装置に対してＦＡＸ送信を行う機能を有するファクシミリソフト（ファックス送信アプリケーション）である。また、ＩＤ「４」に対応する通信対象であるプリンタは、前記通信システム８のＬＡＮ３６における前記プリンタ３８に対応するものであり、送信先１はそのプリンタ３８のアドレス（ＩＰアドレス）、その送信先１に対応するアプリケーションはそのプリンタ３８により所定の画像等の印刷（プリント）を実行させるためのプリント制御ソフト（プリント実行アプリケーション）である。なお、前記アドレスデータベース４２の記憶内容は、好適には、前記画像表示装置１０により前記通信システム８を介して通信が行われる毎に更新されるものであり、更に前記タッチパネル２４による入力操作に応じて新たな通信対象が登録可能とされたものであってもよい。
【００３０】
図５は、前記記憶部１６に備えられたコマンドデータベース４４の内容を例示する図である。この図５に示すように、前記コマンドデータベース４４には、前記入力情報解析手段５２により解析可能な記号とその記号に対応する所定のアプリケーションによる処理とが関連付けられて記憶されている。すなわち、アルファベット「Ｃ」に対応するコマンド１（ＣＯＭ１）として画像（画像情報）を送信指定からはずす処理が、アルファベット「Ｄ」に対応するコマンド２（ＣＯＭ２）として画像に所定の加工を行うための処理が、アルファベット「Ｔ」に対応するコマンド３（ＣＯＭ３）として画像（画像情報）を所定の通信対象に対して転送する処理に係る転送アプリケーションが、それぞれ関連付けられて記憶されている。なお、前記アドレスデータベース４２に記憶された、ＩＤ「４」に対応するプリンタ３８に係る情報は、このコマンドデータベース４４に記憶されたものであってもよい。また、前記コマンドデータベース４４の内容は、好適には、前記画像表示装置１０の利用者がその画像表示装置１０に備えられた各種アプリケーション用に登録した情報を基に作成されるものであり、利用者はそのコマンドデータベース４４に対して所定のアプリケーションに対応するコマンド（ショートカットコマンド）を適宜追加登録できるものである。
【００３１】
図３に戻って、入力情報判定手段５４は、前記入力情報解析手段５２により解析された入力情報が、前記スライドショー表示制御手段５０による制御対象である画像６４に所定の加工を行うための加工情報であるか、或いは所定のアプリケーションによる処理を実行するための制御コマンドであるかを判定する。好適には、予め定められた関係すなわち前記記憶部１４に記憶されたアドレスデータベース４２及びコマンドデータベース４４等の記憶内容から、前記入力情報解析手段５２により解析された入力情報に基づいて、その入力情報が上記加工情報であるか或いは制御コマンドであるかを判定する。すなわち、前記入力情報解析手段５２により解析された入力情報に相当する記号が前記アドレスデータベース４２に記憶されているか否かを判定し、その判定が肯定される場合には前記入力情報がその記号に関連付けられて記憶されたアプリケーションによる処理を実行するための制御コマンドすなわちその記号に対応する通信対象へ送信を行うための制御コマンドであると判定する。また、前記入力情報解析手段５２により解析された入力情報に相当する記号が前記コマンドデータベース４４に記憶されているか否かを判定し、その判定が肯定される場合には前記入力情報がその記号に関連付けられて記憶されたアプリケーションによる処理を実行するための制御コマンドであると判定する。
【００３２】
上記入力情報判定手段５４は、好適には、前記入力情報解析手段５２により解析された入力情報に相当する記号が前記アドレスデータベース４２及びコマンドデータベース４４に記憶されているか否かを判定し、その判定が否定される場合すなわち入力情報に相当する記号が前記アドレスデータベース４２及びコマンドデータベース４４の何れにも記憶されていないと判定される場合には、前記入力情報が前記タッチパネル２４に対する接触操作の時点において前記表示装置２２に表示されている画像に所定の加工を行うための加工情報であると判定する。すなわち、前記タッチパネル２４により入力された入力情報に対応する描画を対象となる画像６４に描き加える（上面側レイヤに重ね描きする）等の画像処理を行うための加工情報であると判定する。
【００３３】
また、前記入力情報判定手段５４は、好適には、前記入力情報解析手段５２により解析された入力情報に相当する記号が前記アドレスデータベース４２及びコマンドデータベース４４に記憶されているか否かを判定し、その判定が肯定される場合であって、前記スライドショー表示制御手段５０による画像の切替表示に係る前記エフェクトの実行中にその入力情報に対応する入力操作が行われた場合にあっては、その入力情報は前記所定のアプリケーションによる処理を実行するための制御コマンドであると判定する。例えば、前記エフェクトの実行中に入力された入力情報に相当する記号が前記アドレスデータベース４２に所定の通信対象と関連付けられて記憶されていた場合には、そのエフェクトの前後の画像６４すなわちそのエフェクトが開始される前に表示されていた画像６４及びそのエフェクト後に表示されるべき画像６４に対応する画像情報が、その通信対象に対して即時送信される。換言すれば、前記スライドショー表示制御手段５０による画像の切替表示に係る前記エフェクトの実行中に入力された入力情報に関しては、画像に所定の加工を行うための加工情報であるとの判定は行わない。
【００３４】
また、図４に示すアドレスデータベース４２のＩＤ「２」に係る情報のように、前記入力情報解析手段５２により解析可能な記号とその記号に対応する複数のアプリケーションによる処理（アプリ１に対応する処理及びアプリ２に対応する処理）とが関連付けられて記憶されている場合に関して、前記入力情報判定手段５４は、好適には、前記入力情報解析手段５２により解析された入力情報に相当する記号が複数のアプリケーションと関連付けられて前記アドレスデータベース４２乃至コマンドデータベース４４に記憶されていると判定される場合には、それら複数のアプリケーションによる処理を後述する処理対象画像選択手段５６による選択可能に前記表示装置２２に表示させる。すなわち、それら複数のアプリケーションによる処理それぞれに対応するボタン等の映像を、前記タッチパネル２４による選択入力可能に前記表示装置２２に表示させ、そのタッチパネル２４により入力された情報に基づいてそれら複数のアプリケーションのうち何れのアプリケーションに係る処理であるか決定する。
【００３５】
図３に戻って、処理対象画像選択手段５６は、前記タッチパネル２４に対する接触操作に応じて、前記所定のアプリケーションによる処理の対象となる画像を選択する。例えば、前記表示装置２２に所定の画像６４が表示されている状態において、前記タッチパネル２４により所定の入力操作が行われた場合には、その時点において表示されている画像６４を前記所定のアプリケーションによる処理の対象となる画像として選択する。また、後述するように、前記スライドショー表示制御の実行中において所定の画像６４が表示されている際に前記アドレスデータベース４２に記憶された所定の通信対象に関連する描き込みが行われた場合には、そのスライドショー表示制御においてそれ以降に表示される画像６４を継続的にその通信対象に係る処理（送信処理）を行う対象として選択する。
【００３６】
処理実行手段５８は、上記入力情報判定手段５４による判定結果に応じて前記画像表示装置１０に係る所定の処理を行う。このために、上記処理実行手段５８は、画像加工制御手段６０及び画像送信制御手段６２を含んでいる。この画像加工制御手段６０は、例えば上記入力情報判定手段５４により前記入力情報が前記スライドショー表示制御手段５０による制御対象である画像６４に所定の加工を行うための加工情報であると判定された場合に、上記処理対象画像選択手段５６により選択された画像６４に対して入力された加工情報に相当する加工（画像加工処理）を実行する。また、上記画像送信制御手段６２は、例えば上記入力情報判定手段５４により前記入力情報が前記スライドショー表示制御手段５０による制御対象である画像６４を所定の通信対象に対して送信（電子メールによる送信やファクシミリによる送信）するための制御コマンドであると判定された場合には、上記処理対象画像選択手段５６により選択された画像６４に対応する画像情報をその通信対象に対して送信する処理を実行する。また、上記入力情報判定手段５４により前記入力情報が前記スライドショー表示制御手段５０による制御対象である画像６４を前記プリンタ３８により印刷するための制御コマンドであると判定された場合には、上記処理対象画像選択手段５６により選択された画像６４を印刷するためにその画像６４に対応する画像情報及び印刷指令を前記プリンタ３８に送信する処理を実行する。
【００３７】
上記処理実行手段５８は、好適には、前記スライドショー表示制御手段５０によるスライドショー表示制御の実行中においては、そのスライドショー表示制御に併行して上記処理を実行する。換言すれば、前記スライドショー表示制御手段５０によるスライドショー表示制御を中断させることなく、そのスライドショー表示制御と同時進行で対応するアプリケーションに前記画像情報を供給し、そのアプリケーションによる処理を実行する等の制御を行う。また、対応するアプリケーションに所定の処理を実行させるためのコマンドを前記記憶部１６等に記憶しておき、前記スライドショー表示制御手段５０によるスライドショー表示制御の終了後にそのアプリケーションによる処理を実行する等の制御も可能である。
【００３８】
図９は、前述した図８に示すようなスライドショー表示制御に際して、前記タッチパネル２４により入力される入力情報に応じて種々の処理が実行される様子を説明する図である。この図９に示す例では、前記タッチパネルディスプレイ１２（表示装置２２）に前記画像６４ａが表示されている状態において、前記ペン２０により前記タッチパネル２４を介して「山田」という文字に相当する描き込み６６ａが行われると共に、ハートマークに相当する描き込み６６ｂが行われている。ここで、上記「山田」という文字に相当する描き込み６６ａに関して、前記入力情報解析手段５２によりその入力操作が「山田」という文字に相当するものであると解析された場合、前記入力情報判定手段５４により、その「山田」という文字が前記アドレスデータベース４２及びコマンドデータベース４４に記憶されているか否かが判定される。前述のように、前記アドレスデータベース４２には、ＩＤ「１」に対応して名前「山田」に対応する情報が記憶されており、その名前「山田」に関連付けられたアプリケーションとしてメーラ及び所定のメールアドレスが記憶されているため、上記「山田」という文字に相当する描き込み６６ａは、ＩＤ「１」に対応するメールアドレスへ送信を行うための制御コマンドであると判定される。同時に、前記処理対象画像選択手段５６により、前記タッチパネル２４による入力操作の時点で前記タッチパネルディスプレイ１２に表示されていた前記画像６４ａが前記所定のアプリケーションによる処理の対象となる画像として選択され、上記「山田」という文字に相当する描き込み６６ａは、ＩＤ「１」に対応するメールアドレスへ前記画像６４ａに対応する画像情報を送信するための制御コマンドであると判定される。斯かる判定が行われた場合、図６に示すように、前記記憶部１６乃至ＲＡＭ３４等に形成された送信リスト４６にその送信に係る情報が記憶される。
【００３９】
また、上述のように前記「山田」という文字に相当する描き込み６６ａがＩＤ「１」に対応するメールアドレスへ前記画像６４ａに対応する画像情報を送信するための制御コマンドであると判定され、前記記憶部１６乃至ＲＡＭ３４等に形成された送信リスト４６にその送信に係る情報が記憶された場合、前記タッチパネルディスプレイ１２（表示装置２２）にそのＩＤ「１」に対応するメールアドレスへの画像情報の送信に係る送信確認ボタン６８が表示される。また、所定の名前、読み、愛称に対応して前記アドレスデータベース４２に複数の通信対象が記憶されている場合には、その全ての通信対象に係る名前（フルネーム）に係る送信確認ボタン６８が前記タッチパネルディスプレイ１２に表示される。この送信確認ボタン６８は、図９に示すように以降のスライドショー表示制御において継続的に前記タッチパネルディスプレイ１２に表示されると共に、その送信確認ボタン６８が表示された状態で前記タッチパネルディスプレイ１２（表示装置２２）に表示された画像６４は自動的にその通信対象に送信されるべきものとして前記送信リスト４６に加えられてゆく。一方、前記画像６４ｂが表示されている状態において示すように、所定の画像６４ｂが表示されている状態で上記送信確認ボタン６８に相当する位置に前記タッチパネル２４を介して×印に相当する描き込み６６ｃが行われ、前記入力情報解析手段５２によりその描き込み６６ｃに対応する入力情報が×印であると解析された場合には、その画像６４ｂに関してＩＤ「１」に対応するメールアドレスが画像情報の送信対象からはずされ、前記送信リスト４６の記憶内容が更新される。
【００４０】
また、図９に示す例では、前記タッチパネルディスプレイ１２（表示装置２２）に前記画像６４ｃが表示されている状態において、前記ペン２０により前記タッチパネル２４を介して「サト」という文字に相当する描き込み６６ｄが行われている。この「サト」という文字に相当する描き込み６６ｄに関して、前記入力情報解析手段５２によりその入力操作が「サト」という文字に相当するものであると解析された場合、前記入力情報判定手段５４により、その「サト」という文字が前記アドレスデータベース４２及びコマンドデータベース４４に記憶されているか否かが判定される。前述のように、前記アドレスデータベース４２には、ＩＤ「３」に対応して愛称「サト」に対応する情報が記憶されており、その愛称「サト」に関連付けられたアプリケーションとしてメーラ及び所定のメールアドレスが記憶されているため、上記「サト」という文字に相当する描き込み６６ｄは、ＩＤ「３」に対応するメールアドレスへ送信を行うための制御コマンドであると判定される。そして、前述のように、図６に示す送信リスト４６にその送信に係る情報が記憶され、以降のスライドショー表示制御において表示される画像６４は自動的にそのＩＤ「３」に係る通信対象に送信されるべきものとして前記送信リスト４６に加えられてゆく。
【００４１】
また、前記画像６４ｄが表示されている状態において示すように、上記送信確認ボタン６８に相当する位置に前記タッチパネル２４を介して○印に相当する描き込み６６ｅが行われ、前記入力情報解析手段５２によりその描き込み６６ｅに対応する入力情報が○印であると解析された場合には、前記画像送信制御手段６２により、前記送信リスト４６に記憶された各通信対象に対してその通信対象に送信すべきとして登録された画像情報の送信が実行される。図９に示す例では、前記画像６４ａが表示されている状態において前記描き込み６６ａが行われ、その時点から継続してＩＤ「１」の通信対象に係る送信確認ボタン６８が表示されると共に、前記画像６４ｂが送信対象から外されている。また、前記画像６４ｃが表示されている状態において前記描き込み６６ｄが行われ、その時点から継続してＩＤ「３」の通信対象に係る送信確認ボタン６８が表示されている。従って、前記送信リスト４６の記憶内容は図６に示すようなものとなり、図１０に示すように、ＩＤ「１」に係る通信対象「山田」には前記画像６４ａ、６４ｃ、６４ｅに対応する画像情報が送信される一方、ＩＤ「３」に係る通信対象「佐藤」には画像６４ｄ、６４ｅに対応する画像情報が送信される。ここで、通信対象「山田」の送信リストに含まれる画像６４ａに関して示すように、送信対象となる画像６４に加工が施されている場合には、その加工情報によって加工された（画像処理後の）画像に対応する画像情報が送信される。また、そのようにして画像情報の送信が実行された場合、図７に示すように、前記記憶部１６等に形成された送信履歴４８の記憶内容が更新される。また、前記タッチパネル２４を介して所定の未送信画像送信指定操作が行われた場合、前記送信リスト４６に記憶された各通信対象に送信されるべき画像情報のうち、上記送信履歴４８に記憶された既に送信された画像情報を削除する等の処理が行われるものであってもよい。
【００４２】
また、図６に示すように、前記送信リスト４６には、各通信対象毎に開始ＩＤとしてその通信対象が新たに登録された時点において前記タッチパネルディスプレイ１２（表示装置２２）に表示されていた画像６４、すなわち前記スライドショー表示制御において順次表示される複数の画像６４のうちその通信対象に対応する送信確認ボタン６８を表示させるきっかけとなった描き込み６６が行われた時点で表示されていた画像６４の識別情報が記憶されるようになっている。ここで、前記入力情報判定手段５４は、好適には、前述のように所定のスライドショー表示制御に関して複数の画像が一通り表示され終えた際にそのスライドショー表示制御がまた先頭から繰り返される場合において、開始ＩＤに対応する画像６４が再び前記タッチパネルディスプレイ１２（表示装置２２）に表示されるまで送信の実行（送信確認ボタン６８を○印で囲む等の入力操作）が行われなかった場合には、その通信対象に関して画像を送信する処理を実行するための制御コマンドとして判定された前記描き込み６６ａ、６６ｄ等は、その描き込みに対応する前記タッチパネル２４に対する接触操作の時点において前記表示装置２２に表示されていた画像６４に所定の加工を行うための加工情報であると判定し直す。斯かる再判定を行うことにより、例えば前記画像６４ａに「山田さんへ」と描き込む等の画像加工を行うことを利用者が意図していた場合には、前述した送信を実行するための操作を行わないことで、所望される画像加工を実現することができる。
【００４３】
また、図９に示すハートマークに相当する描き込み６６ｂに関して、前記入力情報解析手段５２によりその入力操作がハートマークに相当するものであると解析された場合、前記入力情報判定手段５４により、そのハートマークに相当する記号が前記アドレスデータベース４２及びコマンドデータベース４４に記憶されているか否かが判定される。本実施例においては、前記アドレスデータベース４２及びコマンドデータベース４４の何れにもハートマークに相当する記号が記憶されていないため、上記ハートマークに相当する描き込み６６ｂは、その描き込みに対応する前記タッチパネル２４に対する接触操作の時点において前記表示装置２２に表示されている画像６４ａに所定の加工を行うための加工情報であると判定される。すなわち、前記タッチパネル２４により入力された入力情報に対応する描画を前記画像加工制御手段６０により対象となる画像６４ａに描き加える（上面側レイヤに重ね描きする）画像処理を行うための加工情報であると判定される。なお、前記画像加工制御手段６０による画像加工は、前記タッチパネル２４への入力操作の時点で前記表示装置２２に表示されている画像６４に対して行われるものばかりでなく、例えば前記タッチパネル２４による入力情報（加工情報）をコピーして前記ＲＡＭ３４等に記憶しておき、加工対象となる画像６４が表示された時点でその画像６４に貼り付ける等の処理も可能である。
【００４４】
また、前記スライドショー表示制御手段５０は、好適には、前記入力情報判定手段５４により前記入力情報が前記タッチパネル２４による接触操作の時点において前記タッチパネルディスプレイ１２（表示装置２２）に表示されている画像６４に所定の加工を行うための加工情報であると判定された場合には、その画像６４の表示時間を前記所定の時間（初期設定の表示時間）より延長し、更に好適には、その画像６４に係る加工情報の入力が継続する限りその表示を切り替えない。
【００４５】
図１１は、所定のアプリケーションによる処理を行うための制御コマンドに対応する入力情報と、所定の画像に加工を行うための加工情報に対応する入力情報とを個別に保存する処理について説明する図である。前述のように、本実施例の画像表示装置１０においては、前記タッチパネルディスプレイ１２（タッチパネル２４）による入力情報が所定のアプリケーションによる処理を行うための制御コマンドに対応する入力情報であるか、或いは所定の画像に加工を行うための加工情報に対応する入力情報であるかが判定され、所定の条件が成立した時点においてそれぞれの処理が実行される。また、一度所定のアプリケーションによる処理を行うための制御コマンドに対応する入力情報であると判定されたものが、再判定により所定の画像に加工を行うための加工情報に対応する入力情報であると判定される場合もある。このため、前記タッチパネル２４により所定の入力操作が行われて前記入力情報判定手段５４による判定が行われた場合、その判定に係る各描き込み６６は、図１１に示すように暫定的に（ストローク単位で）制御コマンド又は加工情報に対応するものとしてそれぞれ個別に前記ＲＡＭ３４等に記憶される。また、前記入力情報判定手段５４により制御コマンドと判定された（制御コマンドの可能性がある）文字列７０（描き込み６６の一部）が検出された場合、好適には、入力情報からそれらの文字列７０が切り取られて（分離されて）制御コマンド候補データとしてそれぞれ個別に図１２に示すような制御候補リスト７２に記憶される。換言すれば、入力情報からそれらの文字列７０は削除された状態となる。そして、前述のように送信実行操作が行われる等して上記制御候補リスト７２に記憶された処理が実行された場合はその実行をもって対象となる文字列７０が制御候補リスト７２から消去される一方、前記再判定により制御コマンドではなく加工情報であると判定された場合には、その文字列７０が再び前記描き込み６６の一部とされると共にその加工情報が対象となる画像６４に反映され、その実行をもって対象となる文字列７０が制御候補リスト７２から消去される。
【００４６】
図１３は、前記画像表示装置１０の制御部１４によるスライドショー表示制御、画像送信制御、及び画像加工制御の要部を説明するフローチャートであり、所定の周期で繰り返し実行されるものである。
【００４７】
先ず、ステップ（以下、ステップを省略する）Ｓ１において、所定のスライドショー表示制御が開始され、前記タッチパネルディスプレイ１２（表示装置２２）に所定の画像６４が表示される。次に、Ｓ２において、前記タッチパネル２４による入力操作が前記入力制御部２８により検出されたか否かが判断される。このＳ２の判断が否定される場合には、Ｓ８以下の処理が実行されるが、Ｓ２の判断が肯定される場合には、Ｓ３において、前記入力制御部２８により検出された前記タッチパネル２４による入力情報が前記ＲＡＭ３４等に記憶（保存）される。次に、Ｓ４において、Ｓ３にて記憶された入力情報が決定ボタンすなわち前記送信確認ボタン６８に関しての入力であるか否かが判断される。このＳ４の判断が肯定される場合には、図１４に示す決定コマンド操作ＳＡが実行された後、Ｓ８以下の処理が実行されるが、Ｓ４の判断が否定される場合には、前記入力情報解析手段５２の動作乃至入力情報解析過程に対応するＳ５において、Ｓ３にて記憶された前記タッチパネル２４に対する接触操作に応じて入力された入力情報が解析され、その入力情報に含まれる文字乃至記号が認識される。次に、Ｓ６において、Ｓ５にて解析された入力情報に相当する記号と前記アドレスデータベース４２及びコマンドデータベース４４に記憶されている情報とが比較される。次に、Ｓ７において、Ｓ６における比較の結果としてＳ５にて解析された入力情報に相当する記号が前記アドレスデータベース４２乃至コマンドデータベース４４に記憶されているか否かが判断される。このＳ７の判断が肯定される場合には、図１６に示す送信登録処理ＳＢが実行された後、Ｓ８以下の処理が実行されるが、Ｓ７の判断が否定される場合には、前記画像加工制御手段６０の動作に対応する図１７に示す画像加工処理ＳＣが実行された後、Ｓ８において、Ｓ１から所定時間が経過する等して画像切替開始指示が検出されたか否かが判断される。このＳ８の判断が肯定される場合には、図１８に示すページ切替処理ＳＤが実行された後、Ｓ９以下の処理が実行されるが、Ｓ８の判断が否定される場合には、Ｓ９において、スライドショー表示制御が終了させられるか否かが判断される。このＳ９の判断が否定される場合には、Ｓ２以下の処理が再び実行されるが、Ｓ９の判断が肯定される場合には、Ｓ１０において、前記制御候補リスト７２に記憶された制御候補データが加工情報であるとの再判定が行われ、それらの加工情報が対象となる画像６４に反映（合成）された後、本ルーチンが終了させられる。以上の制御において、Ｓ１、Ｓ８、Ｓ９、及びＳＤが前記スライドショー表示制御手段５０の動作に対応する。また、Ｓ６、Ｓ７、及びＳＡが前記入力情報判定手段５４の動作乃至入力情報判定過程に対応する。また、ＳＡ及びＳＢが前記処理対象画像選択手段５６の動作乃至処理対象画像選択過程に対応する。
【００４８】
図１４は、図１３に示す制御における決定コマンド操作の要部を説明するフローチャートである。この制御では、先ず、ＳＡ１において、前記タッチパネル２４により所定の入力操作が行われる等して送信開始指示が検出されたか否かが判断される。このＳＡ１の判断が肯定される場合には、前記画像送信制御手段６２の動作に対応する図１５に示す送信処理ＳＡＡが実行された後、図１３に示す制御に復帰させられるが、ＳＡ１の判断が否定される場合には、ＳＡ２において、前記タッチパネル２４により所定の入力操作が行われる等して未送信画像送信指定が検出されたか否かが判断される。このＳＡ２の判断が肯定される場合には、ＳＡ３において、前記送信リスト４６に記憶された各通信対象に送信されるべき画像情報のうち、前記送信履歴４８に記憶された既に送信された画像情報が削除された後、ＳＡＡ以下の処理が実行されるが、ＳＡ２の判断が否定される場合には、ＳＡ４において、一度制御コマンドであると判定された描き込み６６に関して再判定が行われる等してその描き込み６６が加工指示であったと判定されたか否かが判断される。このＳＡ４の判断が肯定される場合には、ＳＡ５において、前記制御候補リスト７２に制御コマンドとして記憶された文字列７０を含む描き込み６６が対応する画像６４に合成され、ＳＡ６において、前記制御候補リスト７２及び送信リスト４６の記憶内容が更新（加工指示であったと判定された制御候補に係る情報が削除）された後、図１３に示す制御に復帰させられるが、ＳＡ４の判断が否定される場合には、ＳＡ７において、前記タッチパネル２４により所定の入力操作が行われる等して送信除外指定が検出されたか否かが判断される。このＳＡ７の判断が肯定される場合には、ＳＡ８において、送信除外指定に係る画像が前記送信リスト４６から削除された後、図１３に示す制御に復帰させられるが、ＳＡ７の判断が否定される場合には、ＳＡ９において、前記制御候補リスト７２及び送信リスト４６の記憶内容が初期化され、ＳＡ１０において、前記タッチパネルディスプレイ１２（表示装置２２）に表示された決定ボタンすなわち送信確認ボタン６８が非表示とされた後、図１３に示す制御に復帰させられる。
【００４９】
図１５は、図１４に示す決定コマンド操作における送信処理の要部を説明するフローチャートである。この制御では、先ず、ＳＡＡ１において、前記タッチパネルディスプレイ１２（表示装置２２）に表示された決定ボタンすなわち送信確認ボタン６８が非表示とされる。次に、ＳＡＡ２において、前記送信リスト４６に記憶された各通信対象へ対応する画像情報が送信される。次に、ＳＡＡ３において、前記制御候補リスト７２及び送信リスト４６の記憶内容が更新される。次に、ＳＡＡ４において、ＳＡＡ２の送信処理に対応して前記送信履歴４８の記憶内容が更新された後、図１４に示す制御に復帰させられる。
【００５０】
図１６は、図１３に示す制御における送信登録処理の要部を説明するフローチャートである。この制御では、先ず、ＳＢ１において、前記スライドショー表示制御に係る画像の切替中（ページ切替中）例えばその切替表示に際してのエフェクトの表示中であるか否かが判断される。このＳＢ１の判断が肯定される場合には、ＳＢ２において、その画像切替に係る前後の画像６４に対応する画像情報が、判定された通信対象に対して即時送信され、ＳＢ３において、ＳＢ２の送信処理に対応して前記送信履歴４８の記憶内容が更新された後、図１３に示す制御に復帰させられるが、ＳＢ１の判断が否定される場合には、ＳＢ４において、前記タッチパネル２４による入力情報に含まれる制御コマンドに相当する文字列７０が切り取られる（抽出される）。次に、ＳＢ５において、ＳＢ４にて切り取られた制御コマンドに相当する文字列７０が前記制御候補リスト７２に制御候補データとして記憶される。次に、ＳＢ６において、前記タッチパネル２４による入力情報に対応する情報が前記制御候補リスト７２乃至送信リスト４６に登録される。次に、ＳＢ７において、ＳＢ６にて新たに前記送信リスト４６に登録された情報に対応する決定ボタンすなわち送信確認ボタン６８が前記タッチパネルディスプレイ１２（表示装置２２）に表示された後、図１３に示す制御に復帰させられる。
【００５１】
図１７は、図１３に示す制御における画像加工処理の要部を説明するフローチャートである。この制御では、先ず、ＳＣ１において、前記タッチパネル２４により入力された入力情報（加工情報）が表示画像すなわち対象となる画像６４に合成される。次に、ＳＣ２において、加工された画像６４に係る識別情報（ＩＤ）が更新される。次に、ＳＣ３において、その時点において表示されている画像６４の識別情報が前記送信リスト４６における所定の通信対象に対応して記憶された開始ＩＤと一致するか否かが判断される。このＳＣ３の判断が否定される場合には、ＳＣ４において、その時点において表示されている画像６４が前記送信リスト４６に登録された後、ＳＣ７以下の処理が実行されるが、ＳＣ３の判断が肯定される場合には、ＳＣ５において、前記制御候補リスト７２に制御コマンドとして記憶された文字列７０を含む描き込み６６が加工情報として再判定されて対応する画像６４に合成される。次に、ＳＣ６において、前記制御候補リスト７２及び送信リスト４６の記憶内容が更新（加工指示であったと判定された制御候補に係る情報が削除）された後、ＳＣ７において、前記タッチパネルディスプレイ１２（表示装置２２）に表示されている画像６４の切替が開始された後、図１３に示す制御に復帰させられる。以上の制御において、ＳＣ及びＳＡＡが前記処理実行手段５８の動作乃至処理実行過程に対応する。
【００５２】
図１８は、図１３に示す制御におけるページ切替処理の要部を説明するフローチャートである。この制御では、先ず、ＳＤ１において、前記スライドショー表示制御に係る画像６４の切替中（ページ切替中）であるか否かが判断される。このＳＤ１の判断が否定される場合には、ＳＤ３以下の処理が実行されるが、ＳＤ１の判断が肯定される場合には、ＳＤ２において、所定のエフェクトの後に切替後の画像６４（ページ）が前記表示装置２２に表示された後、ＳＤ３において、前記スライドショー表示制御に係る表示時間が初期設定の時間よりも延長させられた後、図１３に示す制御に復帰させられる。すなわち、制御コマンド以外の入力が前記タッチパネル２４により行われた場合には、接触操作が検知される度に前記表示時間が延長させられる。
【００５３】
続いて、前記画像表示装置１０の制御部１４による制御の他の実施例を図面に基づいて詳細に説明する。なお、以下の説明において、実施例相互に共通する部分については同一の符号を付してその説明を省略する。
【００５４】
図１９は、前記画像表示装置１０の制御部１４による制御の他の一例として、送信対象になっている全ての画像が制御コマンドであるか或いは加工情報であるかを判定した後に送信する制御を説明する図である。この図１９に示す例では、所定のスライドショー表示制御すなわち図２４に示すようなスライドショー管理リスト７８（複数の画像の表示順とスライドショーの実行回数を管理するテーブル）に従ってのスライドショー表示制御に関して、そのスライドショー表示制御に係る一連の画像切替が二巡（２周分）繰り返し行われている。先ず、一巡目のスライドショー表示制御では、前記タッチパネルディスプレイ１２（表示装置２２）に画像６４ａが表示されている状態において、前記ペン２０により前記タッチパネル２４を介して「山田」という文字に相当する描き込み６６ａが行われると共に、ハートマークに相当する描き込み６６ｂが行われている。この「山田」という文字に相当する描き込み６６ａに関して、前記入力情報解析手段５２によりその入力操作が「山田」という文字に相当するものであると解析され、更に前記入力情報判定手段５４によりその文字が前記アドレスデータベース４２に記憶されたＩＤ「１」の通信対象に関連付けられた情報であると判定されることにより、図２１に示すように、前記記憶部１６乃至ＲＡＭ３４等に形成された送信リスト７４にその送信に係る情報が送信管理リスト１として開始ＩＤとしての前記画像６４ａと関連付けられて記憶される。
【００５５】
図１９に示す一巡目のスライドショー表示制御では、更に、前記タッチパネルディスプレイ１２（表示装置２２）に画像６４ｃが表示されている状態において、前記ペン２０により前記タッチパネル２４を介して「佐藤」という文字に相当する描き込み６６ｆが行われている。そして、前記タッチパネルディスプレイ１２（表示装置２２）に画像６４ｄが表示されている状態において、上記送信リスト７４における送信ＩＤ「１」すなわち前記描き込み６６ａに対応する通信対象「山田」に関する送信決定操作が前記タッチパネル２４による所定の入力操作等により行われている。ここで、本実施例においては、そのように所定の通信対象に関して送信決定操作が行われた場合であっても、その送信決定操作に係る送信管理リストに対応する送信をすぐには実行せず、その送信管理リストに登録されている全画像に係る制御候補リスト（図１２を参照）が制御コマンドであるか或いは加工情報であるかの判定が完了した後にはじめてその送信管理リストに対応する送信を実行する。
【００５６】
図２２は、図２１の送信リスト７４における送信管理リスト７６の内容を例示する図である。この図２２に示す送信管理リスト７６は、図１９に示す一巡目のスライドショー表示制御が完了した時点における送信ＩＤ「１」に係る送信管理リスト１に対応するものであり、送信決定操作が行われてから実際の送信が実行されるまでの間に、一度制御コマンドであると判定された描き込み６６が加工情報であると再判定される可能性を考慮して、送信管理リストに画像情報それ自体を記憶する構成となっている。例えば、前述の例では、ｐ１すなわち前記画像６４ａに対応して入力された描き込み６６ａに係る制御コマンド（ＩＤ「１」の通信対象に対して画像を送信するためのコマンド）に対してｐ４すなわち前記画像６４ｄの表示時に送信決定操作が行われているため、ｐ１、ｐ２、ｐ４に関しては制御候補リストの再判定可能性すなわち一度制御コマンドであると判定された描き込み６６が加工情報であると再判定される可能性がないとして制御候補情報が「済」とされている。一方、ｐ３すなわち前記画像６４ｃに関しては、前記描き込み６６ｆに対応して制御コマンドすなわちＩＤ「３」の通信対象に対して画像を送信するためのコマンドだと判定されて前記制御候補リスト７２に登録されているものの、再判定によりその描き込み６６ｆが加工情報であると判定し直される可能性が残っているため、制御候補は「済」とはなっていない。
【００５７】
図１９に示す例において、前記一巡目のスライドショー表示制御に続く二巡目のスライドショー表示制御では、前記タッチパネルディスプレイ１２（表示装置２２）に画像６４ｂが表示されている状態において、前記ペン２０により前記タッチパネル２４を介して星マークに相当する描き込み６６ｇが行われている。更に、前記描き込み６６ｆすなわち「佐藤」という文字に相当する描き込みに対応する制御候補リストに関して送信決定操作が行われないまま前記画像６４ｃの二度目の表示が行われている。本実施例では、前記制御候補リスト７２に記憶された制御候補コマンドに対して実行操作（送信決定操作）が行われないままスライドショー表示制御が一巡した場合には、その制御候補リスト７２から対象となる制御候補データが削除される。斯かる制御候補リスト７２の更新と共に、前記送信リスト７４（送信管理リスト７６）に登録されている画像情報に再判定に係る加工情報（非実行のまま一巡することにより制御コマンドではないと判定された描き込みに相当する情報）が合成され、前記送信管理リスト７６の制御候補情報が「済」とされる。また、前記送信管理リスト７６に登録された所定の画像情報のみが送信された場合にも、前記制御候補リスト７２からその画像ＩＤに対応する制御候補データが削除され、前記送信管理リスト７６の制御候補情報が「済」とされる。図２３は、そのようにして前記送信管理リスト７６に登録された全ての画像情報（画像ＩＤ）に関して制御候補情報が「済」となった状態を示している。本実施例の画像送信制御手段６２は、このように前記送信管理リスト７６に登録された全ての画像情報（画像ＩＤ）に関して制御候補情報が「済」となった段階ではじめてその送信管理リスト７６（送信リスト７４）に係る画像情報の送信を実行する。
【００５８】
図２０は、図２３に示す送信管理リスト７６に対応して送信される画像情報に相当する画像６４ａ〜６４ｄを示す図である。図１９における二巡目のスライドショー表示制御において前記画像６４ｂに星マークに相当する描き込み６６ｇが描き加えられているが、一巡目で送信決定操作が行われた時点で前記送信管理リスト７６における画像６４ｂ（ｐ２）の制御候補は「済」となっているため、図２０に示すように、その描き込み６６ｇは送信される画像情報には反映されない。一方、再判定により制御コマンドではなく加工情報であると判定し直された描き込み６６ｆは、送信に係る画像６４ｃに反映（合成）されている。このようにして、前記送信管理リスト７６に登録された送信対象である全ての画像に係る判定（制御コマンドであるか或いは加工情報であるかの判定）が確定した後にそれらの画像情報を送信することにより、利用者の意図する加工情報を送信に係る画像に好適に反映させることができるのである。
【００５９】
図２５は、本実施例に係る図１３に示す制御におけるページ切替処理（ページ切り替わり時の処理）の要部を説明するフローチャートであり、前述した図１８の制御に対応するものである。
【００６０】
先ず、ＳＤ４において、前記表示装置２２に表示されている画像６４に対して前記タッチパネル２４により所定の入力情報が入力されたか否かが判断される。このＳＤ４の判断が否定される場合には、ＳＤ７以下の処理が実行されるが、ＳＤ４の判断が肯定される場合には、ＳＤ５において、前記表示装置２２に表示されている画像６４に係る画像情報に対して前記タッチパネル２４により入力された入力情報（加工情報）が合成される。次に、ＳＤ６において、前記入力の行われた画像６４が、送信指定がされていない送信管理リスト７６の画像データに登録される。次に、ＳＤ７において、前記表示装置２２による表示に係る画像ＩＤが更新され、前記スライドショー管理リスト７８に従って前記表示装置２２に表示される画像６４が切り替えられる。次に、ＳＤ８において、前記表示装置２２に表示された画像６４の画像ＩＤに対応する制御候補データが前記制御候補リスト７２に登録されているか否かが判断される。このＳＤ８の判断が否定される場合には、それをもって図１３に示す制御に復帰させられるが、ＳＤ８の判断が肯定される場合には、ＳＤ９において、前記表示装置２２に表示された画像６４に係る画像情報に対して制御コマンドと判定されていた描き込み６６に相当する加工情報が合成される。次に、ＳＤ１０において、前記制御候補リスト７２から加工情報であると判定し直された制御候補データが削除される。次に、ＳＤ１１において、前記送信リスト７４における全送信管理リスト７６に登録された画像情報が更新される。すなわち、表示画像ＩＤと対応する送信管理リスト７６の画像情報を、制御候補データに対応する加工情報を合成したものと差し替える。次に、ＳＤ１２において、前記送信リスト７４における全送信管理リスト７６に係る制御候補情報が更新される。次に、ＳＤ１３において、前記送信管理リスト７６において制御候補情報への対応が全て済んでいる送信管理リストが存在するか否かが判断される。このＳＤ１３の判断が否定される場合には、それをもって図１３に示す制御に復帰させられるが、ＳＤ１３の判断が肯定される場合には、ＳＤ１４において、前記送信管理リスト７６において制御候補情報への対応が全て済んでいる送信管理リストに係る画像が対応する通信対象へ送信される。次に、ＳＤ１５において、ＳＤ１４の送信処理に応じて前記送信リスト７４が更新される。次に、ＳＤ１６において、ＳＤ１４の送信処理に応じて前記送信履歴４８が更新される。次に、ＳＤ１７において、前記表示装置２２における画像切替制御が開始された後、図１３に示す制御に復帰させられる。
【００６１】
図２６は、本実施例に係る図１３に示す制御における決定コマンド操作の要部を説明するフローチャートであり、前述した図１４の制御に対応するものである。なお、この図２６に示す制御において、前述した図１４の制御と同一のステップについては共通の符号を付してその説明を省略する。図２６に示す制御では、前述した図１４に示す制御からＳＡ４〜ＳＡ６の処理が除かれており、ＳＡ２の判定が否定された場合にＳＡ７の判定が行われる。すなわち、本実施例では、加工指定がなくとも制御候補情報を加工情報であるか或いは制御コマンドであるかを判断して送信データとしての画像情報に合成することが可能であるため、その加工指定に係る制御を省くことができるのである。
【００６２】
図２７は、図２６に示す制御における送信処理の要部を説明するフローチャートであり、前述した図１５の制御に対応するものである。なお、この図２７に示す制御において、前述した図１５の制御と同一のステップについては共通の符号を付してその説明を省略する。図２７に示す制御では、前述したＳＡＡ１の処理に続いて、ＳＡＡ５において、前記送信管理リスト７６に係る画像情報に入力データ（加工情報）が合成されて登録される。次に、ＳＡＡ６において、前記制御候補リスト７２から制御候補データが削除される。次に、ＳＡＡ７において、前記送信リスト７４における全送信管理リスト７６に係る制御候補情報が更新される。すなわち、送信決定操作が行われた制御候補データがクリアされると共に、前記送信リスト７４における全送信管理リスト７６における対応する画像ＩＤに係る制御候補情報が「済」に変更される。次に、ＳＡＡ８において、選択（送信決定操作）が行われた送信リストに係る送信管理リスト７６における制御候補情報の対応が全て「済」であるか否かが判断される。このＳＡＡ８の判断が肯定される場合には、制御候補情報の対応が全て「済」である送信管理リスト７６に対応する情報に関して前述したＳＡＡ２以下の処理が実行されるが、ＳＡＡ８の判断が否定される場合には、ＳＡＡ９において、選択が行われた送信リスト７４に係る送信指定がオンとされた後、図２６に示す制御に復帰させられる。
【００６３】
このように、本実施例によれば、前記タッチパネル２４における複数の座標を連続的に辿る筆記操作に応じて入力された入力情報を解析する入力情報解析手段５２（Ｓ５）と、その入力情報解析手段５２により解析された入力情報が、前記スライドショー表示制御手段５０（Ｓ１、Ｓ８、Ｓ９、及びＳＤ）による制御対象である画像６４に所定の加工を行うための加工情報であるか、或いは所定のアプリケーションによる処理を実行するための制御コマンドであるかを判定する入力情報判定手段５４（Ｓ６、Ｓ７、及びＳＡ）と、前記タッチパネル２４に対する接触操作に応じて、前記所定のアプリケーションによる処理の対象となる画像６４を選択する処理対象画像選択手段５６（ＳＡ及びＳＢ）と、前記入力情報判定手段５４により前記入力情報が所定のアプリケーションによる処理を実行するための制御コマンドであると判定された場合には、前記処理対象画像選択手段５６により選択された画像６４に対して前記所定のアプリケーションによる処理を実行する処理実行手段５８（ＳＣ及びＳＡＡ）とを、備えたものであることから、スライドショー表示制御の実行中に前記タッチパネル２４による入力操作が行われた場合等において、その入力操作が何を意図してのものであるか適宜判断し、その入力操作に対応する処理を実行することができる。すなわち、スライドショー表示制御の実行中に、その表示に係る画像に関して種々の処理を簡便に選択乃至実行し得る画像表示装置１０を提供することができる。
【００６４】
また、前記入力情報解析手段５２により解析可能な記号とその記号に対応する前記所定のアプリケーションによる処理とを関連付けて記憶するアドレスデータベース４２及びコマンドデータベース４４を備え、前記入力情報判定手段５４は、前記入力情報解析手段５２により解析された入力情報に相当する記号が前記アドレスデータベース４２及びコマンドデータベース４４に記憶されているか否かを判定し、その判定により肯定される場合には前記入力情報がその記号に関連付けられて記憶されたアプリケーションによる処理を実行するための制御コマンドであると判定するものであるため、スライドショー表示制御の実行中における所定のアプリケーションによる処理を実行するための入力操作を、実用的な態様で好適に判定することができる。
【００６５】
また、前記入力情報判定手段５４は、前記入力情報解析手段５２により解析された入力情報に相当する記号が前記アドレスデータベース４２及びコマンドデータベース４４に記憶されているか否かを判定し、その判定が否定される場合には前記入力情報が前記接触操作の時点においてディスプレイである前記表示装置２２に表示されている画像６４に所定の加工を行うための加工情報であると判定するものであるため、スライドショー表示制御の実行中において前記表示装置２２に表示されている画像６４に所定の加工を行うための入力操作を、実用的な態様で好適に判定することができる。
【００６６】
また、前記スライドショー表示制御手段５０は、前記入力情報判定手段５４により前記入力情報が前記接触操作の時点において前記表示装置２２に表示されている画像６４に所定の加工を行うための加工情報であると判定された場合には、その画像６４の表示時間を前記所定の時間より延長するものであるため、スライドショー表示制御の実行中において前記表示装置２２に表示されている画像６４に所定の加工を行うための入力操作が判定された場合に、その画像６４を加工するための時間を確保することができる。
【００６７】
また、前記スライドショー表示制御手段５０は、前記画像６４の切替表示に際して前記表示装置２２による表示に所定のエフェクトを実行するものであり、前記入力情報判定手段５４は、前記入力情報解析手段５２により解析された入力情報に相当する記号が前記アドレスデータベース４２及びコマンドデータベース４４に記憶されているか否かを判定し、その判定が肯定される場合には、前記エフェクトの実行中に入力された入力情報は前記所定のアプリケーションによる処理を実行するための制御コマンドであると判定するものであるため、スライドショー表示制御の実行中における所定のアプリケーションによる処理を実行するための入力操作を、実用的な態様で好適に判定することができる。
【００６８】
また、前記アドレスデータベース４２及びコマンドデータベース４４は、前記入力情報解析手段５２により解析可能な記号とその記号に対応する複数のアプリケーションによる処理とを関連付けて記憶し得るものであり、前記入力情報判定手段５４は、前記入力情報解析手段５２により解析された入力情報に相当する記号が複数のアプリケーションと関連付けられて前記アドレスデータベース４２乃至コマンドデータベース４４に記憶されていると判定される場合には、それら複数のアプリケーションによる処理を前記処理対象画像選択手段５６による選択可能に前記タッチパネルディスプレイ１２に表示させるものであるため、所定の入力操作に対応して複数の処理が関連付けられている場合に、スライドショー表示制御の実行中における所定のアプリケーションによる処理を実行するための入力操作を、実用的な態様で判定乃至選択することができる。
【００６９】
また、本実施例によれば、前記タッチパネル２４における複数の座標を連続的に辿る筆記操作に応じて入力された入力情報を解析する入力情報解析過程（Ｓ５）と、その入力情報解析過程において解析された入力情報が、前記スライドショー表示制御手段５０による制御対象である画像６４に所定の加工を行うための加工情報であるか、或いは所定のアプリケーションによる処理を実行するための制御コマンドであるかを判定する入力情報判定過程（Ｓ６、Ｓ７、及びＳＡ）と、前記タッチパネル２４に対する接触操作に応じて、前記所定のアプリケーションによる処理の対象となる画像６４を選択する処理対象画像選択過程（ＳＡ及びＳＢ）と、前記入力情報判定過程において前記入力情報が所定のアプリケーションによる処理を実行するための制御コマンドであると判定された場合には、前記処理対象画像選択過程において選択された画像６４に対して前記所定のアプリケーションによる処理を実行する処理実行過程（ＳＣ及びＳＡＡ）とを、含むことを特徴とするものであることから、スライドショー表示制御の実行中に前記タッチパネル２４による入力操作が行われた場合等において、その入力操作が何を意図してのものであるか適宜判断し、その入力操作に対応する処理を実行することができる。すなわち、スライドショー表示制御の実行中に、その表示に係る画像６４に関して種々の処理を簡便に選択乃至実行し得る画像表示方法を提供することができる。
【００７０】
また、本実施例によれば、前記画像表示装置１０に備えられた制御部１４を、前記タッチパネル２４における複数の座標を連続的に辿る筆記操作に応じて入力された入力情報を解析する入力情報解析手段５２、その入力情報解析手段５２により解析された入力情報が、前記スライドショー表示制御手段５０による制御対象である画像６４に所定の加工を行うための加工情報であるか、或いは所定のアプリケーションによる処理を実行するための制御コマンドであるかを判定する入力情報判定手段５４、前記タッチパネル２４に対する接触操作に応じて、前記所定のアプリケーションによる処理の対象となる画像６４を選択する処理対象画像選択手段５６、及び、前記入力情報判定手段５４により前記入力情報が所定のアプリケーションによる処理を実行するための制御コマンドであると判定された場合には、前記処理対象画像選択手段５６により選択された画像６４に対して前記所定のアプリケーションによる処理を実行する処理実行手段５８として機能させることを特徴とする画像表示プログラムであることから、スライドショー表示制御の実行中に前記タッチパネル２４による入力操作が行われた場合等において、その入力操作が何を意図してのものであるか適宜判断し、その入力操作に対応する処理を実行することができる。すなわち、スライドショー表示制御の実行中に、その表示に係る画像６４に関して種々の処理を簡便に選択乃至実行し得る画像表示プログラムを提供することができる。
【００７１】
以上、本発明の好適な実施例を図面に基づいて詳細に説明したが、本発明はこれに限定されるものではなく、更に別の態様においても実施される。
【００７２】
例えば、前述の実施例では、本実施例の画像表示装置１０が、外部端末としての他の画像表示装置１０′に対して画像情報等の送信データを送信する態様について説明したが、本発明はこれに限定されるものではなく、前記インターネット４０等を介して情報の送受信を行い得る機器であれば、本発明の画像表示装置の通信対象たり得る。すなわち、本発明の画像表示装置は、同型の画像表示装置以外の外部端末に対しても前述した画像情報の送信制御を実行し得るものである。
【００７３】
また、前述の実施例において、前記入力情報解析手段５２、入力情報判定手段５４、処理対象画像選択手段５６、及び処理実行手段５８は、何れも前記制御部１４に機能的に備えられたものであったが、その一部乃至全部が同等の機能を奏する個別の制御部として前記制御部１４とは別体に備えられたものであってもよい。また、前記画像表示装置１０においては、前記タッチパネルディスプレイ１２の表示制御乃至入力情報処理を行う表示制御部２６及び入力制御部２８が前記制御部１４とは別体の制御部として備えられたものであったが、これらはその一方乃至両方が前記制御部１４に機能的に備えられたものであってもよい。
【００７４】
また、前述の実施例では、前記送信確認ボタン６８に相当する位置に前記タッチパネル２４を介して○印に相当する描き込み６６ｅが行われた場合に対象となる画像送信の決定が行われるものであったが、例えば前記タッチパネル２４における前記送信確認ボタン６８に相当する位置を所定時間以上長押しすることや、そのタッチパネル２４に所定の描き込み（ジェスチャ）を行うこと等を送信確認操作としてもよい。更に、前記表示装置２２に表示されている画像６４を送信対象から除外する操作に関しても、同様に別途コマンドを設けてもよい。
【００７５】
その他、一々例示はしないが、本発明はその趣旨を逸脱しない範囲内において種々の変更が加えられて実施されるものである。
【符号の説明】
【００７６】
１０、１０′：画像表示装置
１２：タッチパネルディスプレイ
２２：表示装置（ディスプレイ）
２４：タッチパネル
４２：アドレスデータベース
４４：コマンドデータベース
５０：スライドショー表示制御手段
５２：入力情報解析手段
５４：入力情報判定手段
５６：処理対象画像選択手段
５８：処理実行手段
６４：画像
【図１】
2011070448.tif 000003
【図２】
2011070448.tif 000004
【図３】
2011070448.tif 000005
【図４】
2011070448.tif 000006
【図５】
2011070448.tif 000007
【図６】
2011070448.tif 000008
【図７】
2011070448.tif 000009
【図８】
2011070448.tif 000010
【図９】
2011070448.tif 000011
【図１０】
2011070448.tif 000012
【図１１】
2011070448.tif 000013
【図１２】
2011070448.tif 000014
【図１３】
2011070448.tif 000015
【図１４】
2011070448.tif 000016
【図１５】
2011070448.tif 000017
【図１６】
2011070448.tif 000018
【図１７】
2011070448.tif 000019
【図１８】
2011070448.tif 000020
【図１９】
2011070448.tif 000021
【図２０】
2011070448.tif 000022
【図２１】
2011070448.tif 000023
【図２２】
2011070448.tif 000024
【図２３】
2011070448.tif 000025
【図２４】
2011070448.tif 000026
【図２５】
2011070448.tif 000027
【図２６】
2011070448.tif 000028
【図２７】
2011070448.tif 000029